(57)【特許請求の範囲】
【請求項１】
楽曲情報取得手段（２）と、楽曲情報記憶手段（６）と、再生手段（５）と、制御手段（４）と、件数表示手段（７）を備える楽曲演奏装置であって、
楽曲情報取得手段（２）は、外部より楽曲情報を取得可能とし、
楽曲情報記憶手段（６）は、取得した楽曲情報を蓄積し、
再生手段（５）は、蓄積されている楽曲情報に基づいて演奏信号を再生出力可能とし、
制御手段（４）は、楽曲情報の取得に応じて制御信号を件数表示手段（７）に出力し、
件数表示手段（７）は、制御手段（４）からの制御信号をカウントして表示件数を表示出力すると共に、電力が供給されていない場合にも表示件数を維持する構成である
楽曲演奏装置。
【請求項２】
制御手段（４）は、件数表示手段（７）に表示されている表示件数を取得して表示手段（１１）に出力可能とする
請求項１に記載の楽曲演奏装置。
【請求項３】
制御手段（４）は、楽曲情報記憶手段（６）に蓄積されている楽曲情報の蓄積件数を表示手段（１１）に出力可能とする
請求項１または２に記載の楽曲演奏装置。
【請求項４】
制御手段（４）は、件数表示手段（７）に表示されている表示件数を取得し、当該表示件数と楽曲情報記憶手段（６）に蓄積されている楽曲情報の蓄積件数とが一致する場合、又は異なる場合には所定の処理を実行する
請求項１に記載の楽曲演奏装置。
【発明の詳細な説明】
【０００１】
【産業上の利用分野】
本発明は、楽曲演奏装置に関する。
【０００２】
【従来の技術】
従来、例えば通信網やフレキシブルディスク等の媒体を介して、楽曲情報を取得する楽曲情報取得手段と、該取得される楽曲情報を蓄積する楽曲情報記憶手段と、該蓄積されている楽曲情報に基づく演奏信号を出力する演奏信号出力手段とを備える楽曲演奏装置、いわゆるカラオケ装置が知られている。
【０００３】
このような楽曲演奏装置は、新品ばかりでなく中古品も取引されることがある。中古品の場合には、装置自体の性能、品質ばかりでなく、そこに蓄積されている楽曲情報の件数も取引価格に反映されることがある。そして、例えば性能や品質が同程度であれば、８００曲分の楽曲情報を蓄積している楽曲演奏装置の方が、６００曲分を蓄積しているものよりも価値があると言える。
【０００４】
【発明が解決しようとする課題】
しかしながら、従来の楽曲演奏装置では、蓄積されている楽曲情報の件数を外部に表示する構成を欠いているために、蓄積されている楽曲情報の件数を正確に知ることができず、それを適切に取引価格に反映することができなかった。
【０００５】
本発明は、上述した問題点を解決するためになされたものであり、楽曲演奏装置に蓄積されている楽曲情報の件数を外部に表示することにより、蓄積されている楽曲情報の件数を、適切に取引価格に反映可能とすることを目的としている。
【０００６】
【課題を解決するための手段】
上記課題を解決するための手段として、請求項１記載の楽曲演奏装置は、楽曲情報取得手段（２）と、楽曲情報記憶手段（６）と、再生手段（５）と、制御手段（４）と、件数表示手段（７）を備える楽曲演奏装置であって、楽曲情報取得手段（２）は、外部より楽曲情報を取得可能とし、楽曲情報記憶手段（６）は、取得した楽曲情報を蓄積し、再生手段（５）は、蓄積されている楽曲情報に基づいて演奏信号を再生出力可能とし、制御手段（４）は、楽曲情報の取得に応じて制御信号を件数表示手段（７）に出力し、件数表示手段（７）は、制御手段（４）からの制御信号をカウントして表示件数を表示出力すると共に、電力が供給されていない場合にも表示件数を維持する構成を採用している。
【０００７】
請求項２記載の楽曲演奏装置は、請求項１記載の楽曲演奏装置において、制御手段（４）は、件数表示手段（７）に表示されている表示件数を取得して表示手段（１１）に出力可能とした構成である。
請求項３記載の楽曲演奏装置は、請求項１または２記載の楽曲演奏装置において、制御手段（４）は、楽曲情報記憶手段（６）に蓄積されている楽曲情報の蓄積件数を表示手段（１１）に出力可能とした構成である。
【０００８】
請求項４記載の楽曲演奏装置は、請求項１に記載の楽曲演奏装置において、制御手段（４）は、件数表示手段（７）に表示されている表示件数を取得し、当該表示件数と楽曲情報記憶手段（６）に蓄積されている楽曲情報の蓄積件数とが一致する場合、又は異なる場合には所定の処理を実行する構成である。
【０００９】
【００１０】
【作用】
上記の構成になる請求項１記載の楽曲演奏装置においては、楽曲情報取得手段（２）は、外部より楽曲情報を取得可能で、楽曲情報記憶手段（６）は、取得した楽曲情報を蓄積し、再生手段（５）は、蓄積されている楽曲情報に基づいて演奏信号を再生出力可能である。ここで、楽曲情報を取得するための手法としては、通信網を介しての通信やフレキシブルディスク等の媒体から読み込むことが例示される。
【００１１】
制御手段（４）は、楽曲情報の取得に応じて制御信号を件数表示手段（７）に出力し、件数表示手段（７）は、制御手段（４）からの制御信号をカウントして表示件数を表示出力すると共に、電力が供給されていない場合にも表示件数を維持する。楽曲演奏装置に蓄積されている楽曲情報の件数が件数表示手段（７）によって表示件数として表示出力されるので、蓄積されている楽曲情報の件数を、適切に取引価格に反映させることが可能となる。
また、件数表示手段（７）は、電力が供給されていない場合にも表示件数を維持する構成である。この構成としては、例えば複写機に装着される複写枚数カウンタや自動車の走行メータに使用されるような、０〜９の数字が記された回転体を複数備えて、各回転体の回転位置により一連の数字（すなわち表示件数）を表示出力する構造のもの、件数目盛りと指針とを備えて、指針の位置により表示件数を表示出力するもの等が例示される。
【００１２】
電力が供給されなくとも表示件数が維持されるので、例えば取引の当事者は、いつでも楽曲情報の件数を知ることができる。
請求項２記載の楽曲演奏装置は、請求項１記載の楽曲演奏装置において、制御手段（４）は、件数表示手段（７）に表示されている表示件数を取得して表示手段（１１）に出力可能である。
【００１３】
この請求項２の構成では、件数表示手段（７）は、その表示件数に対応する電気的な信号を出力する機構を備えるものが好適である。
件数表示手段（７）は、演奏のために使用されるわけではないので、例えば楽曲演奏装置の背面側等、目立たない場所に設置される可能性が大きい。また、件数表示手段（７）の表示サイズも小さなものとされる可能性が大きい。このため、制御手段（４）は、件数表示手段（７）に表示されている表示件数を取得して表示手段（１１）に出力可能にして、表示件数を表示手段（１１）によって見やすい位置や大きさで表示すれば、例えば取引の当事者は、楽曲情報の件数を、一層良好な条件下で読み取ることができる。なお、表示手段（１１）としては、楽曲演奏装置に通常付属しているＣＲＴ等のモニタ装置が例示される。
【００１４】
請求項３記載の楽曲演奏装置においては、制御手段（４）は、楽曲情報記憶手段（６）に蓄積されている楽曲情報の蓄積件数を表示手段（１１）に出力可能であるから、蓄積件数を表示手段（１１）に表示でき、例えば取引の当事者は、件数表示手段（７）の表示件数と表示手段（１１）に表示される蓄積件数とを比較し、例えば両件数が一致すればこの件数は信用できる、両件数が不一致なので信用できない等の判断をすることができる。
【００１５】
請求項４記載の楽曲演奏装置においては、制御手段（４）は、件数表示手段（７）に表示されている表示件数を取得し、当該表示件数と楽曲情報記憶手段（６）に蓄積されている楽曲情報の蓄積件数とが一致する場合、又は異なる場合には所定の処理を実行する。
【００１６】
制御手段（４）により実行される処理としては、例えば両件数が不一致のときに「曲数の表示が不正に操作されている可能性があります。」等、画像や音声により取引の当事者に警告を発する処理や、楽曲演奏装置の機能の一部を停止する処理等、買取り側が買うことを控えるような処理が例示される。
【００１７】
このような警告が発されたり機能の一部が停止されたりすれば、買取り側は買うことを控えることになる。結局、不正操作は利益にならないので、そのような操作を防止する効果があり、取引の適正化に貢献できる。
また、表示件数と蓄積件数とが一致したときには、曲数の表示は適正である旨を画像や音声により出力する処理が例示される。
【００１８】
【実施例】
次に、本発明の一実施例を図面を参照して説明する。
図１に示すように、楽曲演奏装置１は、制御手段（４）としてのＣＰＵ４、通信手段であり楽曲情報取得手段（２）としても機能するモデム２、楽曲情報記憶手段（６）としてのハードディスクメモリ（ＨＤＤ）６、件数表示手段（７）としてのカウンタ７、再生手段（５）としての再生装置５、入力手段としてのリモコン１２からの入力信号を受信するためのリモコン受光部３等が内蔵されており、モデム２、ハードディスクメモリ６、再生装置５およびリモコン受光部３は、それぞれＣＰＵ４に接続されている。さらに、ＣＰＵ４には、楽曲演奏装置１とは別体の動画再生プレーヤ１０と表示手段（１１）としてのＣＲＴ１１が接続されている。また、再生装置５には、アンプ１３が接続され、アンプ１３にはスピーカ１４が接続されている。
【００１９】
モデム２は、通信回線２１によりホストコンピュータ３１にアクセス可能である。ホストコンピュータ３１は、楽曲の演奏に使用するための楽曲情報を、きわめて多数記憶しているデータベース３２を備えている。
このデータベース３２に記憶されている各楽曲情報は、各曲を識別するための曲名、曲番号等の識別データ、演奏実行のための曲データ、歌詞テロップ用の歌詞データ、曲名、作詞者名、作曲者名等を含むタイトル画面を表示するためのタイトルデータ等から構成されている。
【００２０】
本実施例の曲データは、公知のＭＩＤＩ（Musical Instrument Digital Interface）データが使用されている。このＭＩＤＩデータは、シンセサイザ音源を前提に作られており、どの音色を使って、どの音階で、どれくらいの強さで、どのタイミングで音を出して、どのタイミングで消すかといった情報を羅列したデータである。また、歌詞データは、歌詞を符号化したデータおよび歌詞を曲のどのタイミングで表示すべきかを示すタイミングデータからなっている。
【００２１】
ＣＰＵ４は、モデム２を通してホストコンピュータ３１と通信可能で、ホストコンピュータ３１から送信されてくる楽曲情報を受信し、これをＣＰＵ４に接続されているハードディスクメモリ６に記憶させることができる。また、ＣＰＵ４は、ハードディスクメモリ６に記憶された楽曲情報を読み出して、その曲データを再生装置５に送出し、歌詞データおよびタイトルデータをＣＲＴ１１に送出することができる。
【００２２】
シンセサイザ音源としての構成を有する再生装置５は、内部のメモリ（図示略）に多数の音色データを保有しており、ＭＩＤＩデータで指定された音色、音階、音の強さで音声信号を合成し、それを指定されたタイミングで出力することができる。再生装置５から出力される音声信号は、アンプ１３において、図示しないマイクロフォンから入力される利用客の音声とミキシングされ、増幅されて、スピーカ１４に送られ、スピーカ１４から音声出力される。
【００２３】
カウンタ７は、０〜９の数字が記された回転体（図示略）を複数備えて、各回転体の回転位置により一連の数字を表示する構造であり、本実施例では０〜９９９９の数値を表示できる。このカウンタ７の表示数値（カウント値）は楽曲演奏装置１の外部から視認可能である。
【００２４】
このカウンタ７は、回転体を回転駆動するためのモータとしてのパルスモータ（図示略）を備えており、パルスモータはＣＰＵ４からの指示によって回転、停止してカウンタ７のカウント値を変更することができ、パルスモータが停止していればカウント値は維持される。また、カウンタ７には、カウント値に対応する電気的な信号（カウント値信号）を出力する回路（図示略）が備えられており、ＣＰＵ４はこのカウント値信号を読み込むことができる。
【００２５】
動画再生プレーヤ１０は、ＣＰＵ４からの指示に応じて、図示しない動画記録媒体（例えばＣＤ−ＲＯＭ）に記録されている映像データを再生した映像信号をＣＲＴ１１に出力することができる。
ＣＲＴ１１は、動画再生プレーヤ１０からの映像信号やＣＰＵ４から送出されてくるデータに基づく映像を表示可能で、映像信号による背景映像に歌詞データに基づく歌詞テロップをスーパーインポーズした合成映像も表示できる。
【００２６】
以上が本実施例の楽曲演奏装置１とその周辺機器の構成の説明であるが、次に、この楽曲演奏装置１がホストコンピュータ３１から楽曲情報を取得する際の動作について、図２を参照して説明する。図２は、楽曲演奏装置１のＣＰＵ４が、定期的またはリモコン１２を介して入力される指示にしたがって、楽曲情報を取得する際に実行する楽曲情報取得処理のフローチャートである。
【００２７】
ＣＰＵ４は、ホストコンピュータ３１との定期通信の時間になるかリモコン１２を介して指示されると、図２に示される楽曲情報取得処理を開始する。
図２に示すように、ＣＰＵ４は、モデム２を通してホストコンピュータ３１に１曲分の楽曲情報の送信を要求し、これに応じてホストコンピュータ３１が楽曲情報を送信してくると、これを受信する（Ｓ２１）。続いて、ＣＰＵ４は、楽曲情報を正常に受信したかを判定し（Ｓ２２）、正常に受信していなければ（Ｓ２２：ＮＯ）、一旦この処理を終了する。
【００２８】
ホストコンピュータ３１から送信された楽曲情報を正常に受信していれば（Ｓ２２：ＹＥＳ）、ＣＰＵ４はＳ２３に移行し、受信した楽曲情報をハードディスクメモリ６に転送して記憶させる。
次に、ＣＰＵ４は、パルスモータに駆動パルスを供給してカウンタ７のカウント値を１インクリメントさせる（Ｓ２４）。続いて、ＣＰＵ４は、ハードディスクメモリ６に指示して、そこに記憶されている楽曲情報の件数に対応する総記憶曲数を１インクリメントさせ（Ｓ２５）、この処理を終了する。
【００２９】
このように、１曲分の楽曲情報を受信する毎にカウンタ７のカウント値およびハードディスクメモリ６に記憶される総記憶曲数が１ずつ加算されてゆく。したがって、カウント値と総記憶曲数とは一致することになる。
このため、カウンタ７のカウント値を見れば、楽曲演奏装置１のハードディスクメモリ６に何曲分の楽曲情報が蓄積されているかが判る。なお、カウンタ７のカウント値は、パルスモータが停止しているときには変動しないから、楽曲演奏装置１の稼動が停止されている場合（電力が供給されていない場合）でも、カウント値が維持されるので、例えば楽曲演奏装置１の所有者等は、ハードディスクメモリ６に蓄積されている楽曲情報の件数をいつでも知ることができる。
【００３０】
また、この実施例の楽曲演奏装置１では、リモコン１２を介して指示することにより、ＣＰＵ４にカウンタ７のカウント値を読み込ませ、それをＣＲＴ１１に表示させることもできる。このため、例えば楽曲演奏装置１の背面側等、目立たない場所にカウンタ７が設置されたり、カウンタ７の表示サイズが小さかったりする場合でも、楽曲演奏装置１の所有者等は、ＣＲＴ１１に、見やすい位置や大きさで表示させて、一層良好な条件下でカウント値を視認することができる。
【００３１】
次に、例えば楽曲演奏装置１を売買する際等に、ハードディスクメモリ６に蓄積されている楽曲情報の件数を確認する場合について、図３を参照して説明する。図３は、楽曲情報の件数を確認する際にＣＰＵ４が実行する曲数確認処理のフローチャートである。
【００３２】
ＣＰＵ４は、リモコン１２を介して曲数確認を指示されると、図３に示される曲数確認処理を開始する。
図３に示すように、ＣＰＵ４は、まずカウンタ７からのカウント値信号を読み込むことにより、カウント値を取得する（Ｓ３１）。次に、ＣＰＵ４は、ハードディスクメモリ６から、総記憶曲数を読み込む（Ｓ３２）。続いて、ＣＰＵ４は、カウント値と総記憶曲数とが一致しているかを判定する（Ｓ３４）。ここで、カウント値と総記憶曲数とが一致していれば（Ｓ３４：ＹＥＳ）、ＣＰＵ４はそのままこの処理を終了する。
【００３３】
一方、カウント値と総記憶曲数とが一致していなければ（Ｓ３４：ＮＯ）、ＣＰＵ４は、ＣＲＴ１１にデータと共に指示を送って、図４に例示されるような警告画面を表示させる（Ｓ３５）。これは、カウンタ７が機械式であることから、これを手動等で操作して、そのカウント値を実際よりも大きくする等の行為がなされた可能性があるためである。
【００３４】
楽曲演奏装置１を中古品として売買する場合には、装置自体の性能、品質ばかりでなく、そこに蓄積されている楽曲情報の件数も取引価格に反映されるのが普通である。ところが、このような警告が発されれば、買い手側は、カウンタ７のカウント値は正しくないと推定して、このような楽曲演奏装置１の買取りを拒むことができる。したがって、売り手側としては、カウンタ７の不正操作は結局利益にならないので、そのような操作をしなくなる。よって、楽曲演奏装置１の取引の適正化に貢献できる。
【００３５】
また、楽曲演奏装置１から何の警報も出されなければ、カウンタ７のカウント値は正確であることが推定されるので、買い手側は、このカウント値に基づいて適切な買値をつけることができる。
このように、本実施例の楽曲演奏装置１によれば、楽曲演奏装置１に蓄積されている楽曲情報の件数がカウンタ７に表示されるので、蓄積されている楽曲情報の件数を、適切に取引価格に反映させることが可能となる。しかも、電力が供給されなくともカウンタ７のカウント値が維持されるので、例えば取引の当事者は、いつでも楽曲情報の件数を知ることができる。
【００３６】
また、カウンタ７のカウント値をＣＲＴ１１に表示させることができるので、例えば楽曲演奏装置１の背面側等にあるカウンタ７を見るよりも、一層良好な条件下でカウント値を視認することができる。
以上、実施例に従って、本発明について説明したが、本発明はこのような実施例に限定されるものではなく、本発明の要旨を逸脱しない範囲でさまざまに実施できることは言うまでもない。
【００３７】
例えば、図４に例示される警告表示の代わりに、総記憶曲数とカウント値とを併記する形態でＣＲＴ１１に表示させることも有効である。
また、警告は画面表示ばかりでなく、音声出力も採用でき、画面と音声の両方を使用することもできる。
【００３８】
あるいは、警告と併せて、または警告に代えて、例えば映像は出力されるが音声は出力されない等のように、楽曲演奏装置１の機能の一部を停止することもできる。
【００３９】
【発明の効果】
以上説明したように、請求項１記載の楽曲演奏装置によれば、楽曲演奏装置に蓄積されている楽曲情報の件数が、件数表示手段（７）によって表示件数として表示出力されるので、蓄積されている楽曲情報の件数を、適切に取引価格に反映させることが可能となる。
【００４０】
その表示件数は電力が供給されなくとも維持されるので、例えば取引の当事者は、いつでも楽曲情報の件数を知ることができる。
請求項２記載の楽曲演奏装置によれば、件数表示手段（７）が、例えば楽曲演奏装置の背面側等、目立たない場所に設置されたり、表示サイズが小さかったりする場合でも、出力手段（１１）によって楽曲情報の件数を見やすい位置や大きさで表示すれば、例えば取引の当事者は、背面側等よりも一層良好な条件下で件数を読み取ることができる。
【００４１】
請求項３記載の楽曲演奏装置によれば、例えば取引の当事者は、件数表示手段（７）の表示件数と出力手段（１１）に表示される蓄積件数とを比較し、例えば両件数が一致すればこの件数は信用できる、両件数が不一致なので信用できない等の判断をすることができる。
【００４２】
請求項４記載の楽曲演奏装置によれば、件数表示手段（７）の表示件数と楽曲情報記憶手段（６）に蓄積されている楽曲情報の蓄積件数が不一致のときに、例えば「曲数の表示が不正に操作されている可能性があります。」等、画像や音声により取引の当事者に警告を発する処理や、楽曲演奏装置の機能の一部を停止する処理等、買取り側が買うことを控えるような処理を実行する。
【００４３】
このような警告が発されたり機能の一部が停止されたりすれば、買取り側は買うことを控えることになる。結局、不正操作は利益にならないので、そのような操作を防止する効果があり、取引の適正化に貢献できる。
【図面の簡単な説明】
【図１】実施例の楽曲演奏装置の構成を示すブロック図である。
【図２】実施例の楽曲演奏装置のＣＰＵが楽曲情報を取得する際に実行する楽曲情報取得処理のフローチャートである。
【図３】実施例の楽曲演奏装置のＣＰＵが実行する曲数表示処理のフローチャートである。
【図４】実施例の楽曲演奏装置において表示される警告画面の例示図である。
【符号の説明】
１・・・楽曲演奏装置、
２・・・モデム（楽曲情報取得手段）、
４・・・ＣＰＵ（制御手段）、
５・・・再生装置（再生手段）、
６・・・ハードディスクメモリ（楽曲情報記憶手段）、
７・・・カウンタ（件数表示手段）、
１１・・・ＣＲＴ（出力手段）。
【図１】
0003557285.tif 000002
【図２】
0003557285.tif 000003
【図３】
0003557285.tif 000004
【図４】
0003557285.tif 000005